(57)【要約】【課題】頭頂部をも覆えるクラウンを有する帽子でありながら、頭の形状や髪型に対応した形状に調整可能な帽子を提供する。【解決手段】帽子のクラウンを構成する背面パネル，正面パネルのトップと外周端間の長さを調整できる、長さ調整具が設けてあることを特徴とし、前記長さ調整具は、パネルの上下長さを複数の長さで解除可能に固定し得る構造からなることを特徴とし、長さ調整具は、一対の帯状面ファスナーを長手方向を上下に向け、かつ、両者を上下にずらせてパネルに固定した構造からなることを特徴とし、長さ調整具は、パネルに固定したボタンと、これから上下に間隔を置いてパネルに形成したボタン孔からなることを特徴とし、長さ調整具は、雌雄対のホックからなり、両者を上下に間隔を持ってパネルに固定した構造からなることを特徴とし、前記長さ調整具は、パネルの所定位置に固定された磁石と、これとは上下に離れてパネルに固定された磁性体よりなる。【選択図】図２
2019148048.tif 000002
【特許請求の範囲】
【請求項１】
少なくとも頭頂部を覆うことが可能なクラウンと、
前記クラウンのトップと外周端との間の長さを調整できる長さ調整具とを含むことを特徴とする帽子。
【請求項２】
請求項１に記載の帽子であって、前記長さ調整具は、前記トップと前記外周端との間の前記長さを、前記クラウンの径方向に調節できることを特徴とする帽子。
【請求項３】
請求項２に記載の帽子であって、前記長さ調整具が、前記クラウンにおける前記トップと前記外周部との間の中間部のうち、第１の部分と、前記第１の部分と径方向に離反した第２の部分とを互いに接近させる接近状態と、前記第１の部分と前記第２の部分とを互いに離反する離反状態との間で切り換えることを特徴とする帽子。
【請求項４】
請求項３に記載の帽子であって、前記長さ調整具が、前記第１の部分に配置された第１の面ファスナーと、前記第２の部分に取り付けられた第２の面ファスナーとを含むことを特徴とする帽子。
【請求項５】
請求項５に記載の帽子であって、前記長さ調整具が、前記第１の部分と、前記第２の部分とを互いに接合させる接合状態と前記離反状態との間で切り換えることを特徴とする帽子。
【請求項６】
請求項５に記載の帽子であって、前記長さ調整具は、前記第１の部分に配置されたボタンと、前記第２の部分に配置されたボタン孔とを含むことを特徴とする帽子。
【請求項７】
請求項５に記載の帽子であって、前記長さ調整具は、前記第１の部分に配置された雄ホックと前記第２の部分に配置された雌ホックとを含むことを特徴とする帽子。
【請求項８】
請求項５に記載の帽子であって、前記長さ調整具は、前記第１の部分に配置された磁石と、前記第２の部分に配置された磁性体とを含むことを特徴とする帽子。
【請求項９】
請求項１〜８のいずれか一項に記載の帽子であって、前記長さ調整具が、前記クラウンの後部に配置されていることを特徴とする帽子。
【発明の詳細な説明】
【技術分野】
【０００１】  本発明の帽子は、少なくとも頭頂部を覆えることが可能なクラウンを有する帽子に関する。
【背景技術】
【０００２】    当該帽子は、使用時に頭部全体を覆えることにより、風などによっても脱げにくい利点はあるが、特許文献１，２に示されているように頭部の周長にクラウンのサイズを合わせることに終始するものであった。
また、特許文献３に示されているように、まとめた髪を収納できるタック構造をクラウンに予め形成した帽子が示されている。
【先行技術文献】
【特許文献】
【０００３】
【特許文献１】実用新案登録第３０８５１１３号公報
【特許文献２】実用新案登録第３１０８６６４号公報
【特許文献３】特開２０１６−７９５１９号公報
【発明の概要】
【発明が解決しようとする課題】
【０００４】    特許文献１，２に示されている帽子では、脱げにくいことを補完するのみであり、装着感やファッション性については配慮が不足していた。
そのため、フィット感を得られなかったり、深被り状態となって耳元に圧迫を感じたり、盛り上がった髪型にした場合は、それを圧迫して変形したりするなどの問題が起きていた。
特許文献３に示されている帽子では、髪にボリュームを持たせ、全体に盛り上げるような髪型では、従来のタック構造では、これを押さえ付けるように作用するしかなく、このような髪型を保護することはできない。
つまり、ユーザーの頭の形状や、メガネ（含：サングラス）の着用の有無、各自の多様な髪型等（以上をまとめて、「ユーザーの頭部の状態」という）に応じた形状に調整することが求められている。
本発明は、このような実情に鑑み、ユーザーの頭部の状態に対応した形状に調整可能な帽子を提供することを目的とする。
【課題を解決するための手段】
【０００５】    請求項１に係る帽子は、少なくとも頭頂部を覆うことが可能なクラウンと、前記クラウンのトップと外周端との間の長さを調整できる長さ調整具とを含むことを特徴とする。
請求項２に係る帽子は、請求項１に記載の帽子であって、前記長さ調整具は、前記トップと前記外周端との間の前記長さを、前記クラウンの径方向に調節できることを特徴とする。
請求項３に係る帽子は、請求項２の帽子であって、前記長さ調整具が、前記クラウンにおける前記トップと前記外周部との間の中間部のうち、第１の部分と、前記第１の部分と径方向に離反した第２の部分とを互いに接近させる接近状態と、前記第１の部分と前記第２の部分とを互いに離反する離反状態との間で切り換えることを特徴とする。
請求項４に係る帽子は、請求項３の帽子であって、前記長さ調整具が、前記第１の部分に配置された第１の面ファスナーと、前記第２の部分に取り付けられた第２の面ファスナーとを含むことを特徴とする。
請求項５に係る帽子は、請求項３に記載の帽子であって、前記長さ調整具が、前記第１の部分と、前記第２の部分とを互いに接合させる接合状態と前記離反状態との間で切り換えることを特徴とする。
請求項６に係る帽子は、請求項５に記載の帽子であって、前記長さ調整具は、前記第１の部分に配置されたボタンと、前記第２の部分に配置されたボタン孔とを含むことを特徴とする。
請求項７に係る帽子は、請求項５に記載の帽子であって、前記長さ調整具は、前記第１の部分に配置された雄ホックと前記第２の部分に配置された雌ホックとを含むことを特徴とする。
請求項８に係る帽子は、請求項５に記載の帽子であって、前記長さ調整具は、前記第１の部分に配置された磁石と、磁性体とを含むことを特徴とする。
請求項９に係る帽子は、請求項１〜８のいずれか一項に記載の帽子であって、前記長さ調整具が、前記クラウンの後部に配置されていることを特徴とする。
【発明の効果】
【０００６】    本発明の帽子は、クラウンの深さが調整できるので、ユーザーの頭部の形状に対応した形状に調整することができる。
【図面の簡単な説明】
【０００７】
【図１】本発明の帽子の一例であるキャップを示す図面で、（Ａ）は背面図、（Ｂ）は右側面図、（Ｃ）は正面図である。
【図２】第１の実施形態の要部を示す縦断拡大側面図であって、（Ａ）は調整前の状態を示し、（Ｂ）は、背面パネルを最小長さにした状態を示す。
【図３】第２の実施形態の要部を示す図面で、（Ａ）は調整前の状態を示す縦断拡大側面図、（Ｂ）は、第１段階の調整状態を示す縦断拡大側面図、（Ｃ）は、第２段階の調整状態を示す縦断拡大側面図である。
【図４】第２の実施形態の要部を示す図面で、磁性体の第１例を示す底面図である。
【図５】第２の実施形態の要部を示す図面で、磁性体の第２例を示す底面図である。
【発明を実施するための形態】
【０００８】（第１の実施形態）
図１は本発明の帽子の一例であるキャップを示す図面で、（Ａ）は背面図、（Ｂ）は右側面図、（Ｃ）は正面図である。
図２は第１の実施形態の要部を示す縦断拡大側面図であって、（Ａ）は調整前の状態を示し、（Ｂ）は、背面パネルを最小長さにした状態を示す。
本発明に係る帽子は、図１に示すキャップを例にして説明するが、これに限らず、軟質のクラウンを有する帽子にはいずれも適用できるものである。
【０００９】    キャップは、少なくとも頭頂部を覆うことが可能なクラウン１と、その前面に設けられたヒサシ５と、クラウン１の後部に配置された長さ調整具１０とを含む。長さ調整具１０は、クラウンのトップ２と、クラウンの外周端７との長さを、クラウンの径方向（平面視で径方向）に沿って調整する。クラウン１の後部には、長い髪を外に出す孔６が形成されている。クラウン１は、背面パネル４ａ、正面パネル４ｂ、左右側面パネル４ｃ、右側面パネル４ｄとを縫合して、上下逆ボール状に設けたものである。クラウン１の頂上のトップ２にボタンが一体に設けられている。クラウン１の外周端には帯状の汗止め３が一体に設けてある。
図中Ｘ線は、クラウン１の左右中心線である。
【００１０】    以下の実施形態では長さ調整具を背面パネル４ａに設置して例を説明するが、正面パネル４ｂ又は左右側面パネル４ｃ，４ｄの双方若しくは一方に設置し、クラウン１の深さＨを調整できるようにすることも以下の実施形態に基づき実施可能なものであり、本発明の範疇にあるものである。
なお、左右のパネル４ｃ，４ｄのいずれか一方に調整具を設けた場合は、ヒサシ５を左右傾斜させて装着するような左右非対称な帽子に変形することができる。
【００１１】    長さ調整具１０は、一対の帯状の第１の面ファスナー１１，第２の面ファスナー１２を含む。第１および第２の面ファスナー１１，１２は、背面パネル４ａの中心線Ｘ上に配置されている。
第１の面ファスナー１１は、その長手方向が背面視で中心線Ｘに沿うように配置されている。第１の面ファスナー１１は、その上端部１１ｂが背面パネル４ａの表面に接着固定（接合）されている。第１の面ファスナー１１は、その接着面１１ａが内側を向いている。第１の面ファスナー１１における、上端部１１ｂを除く部分は背面パネル４ａに接合されていない。すなわち、第１の面ファスナー１１は、上端部１１ｂを中心として回動可能に設けられている。
第２の面ファスナー１２は、その長手方向が、背面視で中心線Ｘに沿うように配置されている。第２の面ファスナー１２には、第１の面ファスナー１１の上端部１１ｂよりも下方の領域において、その全面が背面パネル４ａの表面に接着固定（接合）されている。第２の面ファスナー１２は、その接着面１２ａが外側を向いている。第１の面ファスナー１１の接着状態（図１（Ａ）に示す状態）において第１の面ファスナー１１の下部分が、第２の面ファスナー１２の上部分に重複している。
接着状態における第１の面ファスナー１１と、第２の面ファスナー１２との重複量を調整することにより、背面パネル４ａにおける上端部１１ｂの取り付け位置（第１の部分）と、背面パネル４ａにおける第２の面ファスナー１２との間隔を無段階に調整できる（近接させたり、離反させたりできる）。
このようにして、図２（Ａ）のように、両ファスナーが互いに接着していない状態では、クラウン１の深さＨが最長となるようにしてある。
そして、図２（Ｂ）に示すように、第２の面ファスナー１２を第１の面ファスナー１１に接着可能な範囲全体を接着した場合に深さ変化ΔＨだけ前記深さＨが減少するように設定してある。
このようにすることで、第２の面ファスナー１２の第１の面ファスナー１１に対する接着長さを短くすることで深さ変化ΔＨを短くでき、無段階調整が可能なようにしてある。
頭部の形状に合わせた深さに調整可能であるのみならず、髪型が変更されても、これを押しつぶさない深さに調整でき、ファッション性も持たせることができる。
例えば、まとめた髪や盛り上げた髪型に対応する深いクラウンであっても、深さを調節することで、このような髪型でない場合にも、深被りにならずに使用できる。
【００１２】    前記形態では第１の面ファスナー１１，第２の面ファスナー１２を背面パネル４ａの外面に設置することとしたが、これに代わり、背面パネル４ａの内面に設置することも可能である。
この場合は、第１の面ファスナー１１，第２の面ファスナー１２を外側から目視できないので、既に設定されている帽子のデザインを変化させることがなくなった。
【００１３】（第２の実施形態）
図３は第２の実施形態の要部を示す図面で、（Ａ）は調整前の状態を示す縦断拡大側面図、（Ｂ）は、第一段階の調整状態を示す縦断拡大側面図、（Ｃ）は、第二段階の調整状態を示す縦断拡大側面図である。
図４は第２の実施形態の要部を示す図面で、磁性体の第１例を示す底面図である。
図５は第２の実施形態の要部を示す図面で、磁性体の第２例を示す底面図である。
第２の実施形態では、長さ調整具１０に代えて、長さ調整具１１０を採用する点において、第１の実施形態と相違している。長さ調整具１１０は、クラウンのトップ２と、クラウンの外周端７との長さを、クラウンの径方向に沿って調整する。
長さ調整具１１０は、たとえば円形の磁石２１と、または複数（図３（Ａ）等の例では２つ）の磁性体２２，２３とを含む。これら磁石２１および磁性体２２，２３は、背面視で中心線Ｘに沿うように配列されている。
長さ調整具１１０は、背面パネル４ａの表面における磁石２１の取り付け部分（第１の部分）と、背面パネル４ａの表面における、磁性体２２または磁性体２３の取り付け部分（第２の部分）とを接合または離反させる。
磁石２１が磁性体２２，２３と接合していない状態では、図３（Ａ）に示す最長状態になる。
磁石２１が第１磁性体２２に接合している状態では、図３（Ｂ）に示すように深さ変化ΔＨ１が小さい第１の状態を呈する。
磁石２１が第２磁性体２３に接合している状態では、図３（Ｃ）に示すように深さ変化ΔＨ２が大きい第２の状態を呈する。
【００１４】    第１磁性体２２，第２磁性体２３は図４のような円盤状の薄厚鉄板または図５に示すような鉄粉が混入されたゴムシート又はプラスチックシートなどを用いることが可能である。
なお、背面パネル４ａの折畳みが乱れると、磁石２１への安定した吸着が困難となる可能性がある。
このような問題を防ぐために、図５に示すように左右に長い長尺状のシートを第１磁性体２２，第２磁性体２３とし、背面パネル４ａの内面に接着して用いることも可能である。
このようにすると、第１磁性体２２，第２磁性体２３は背面パネル４ａの内外方向では、容易に弾性変形するが、その上下縁は、背面パネル４ａの生地を定規のように案内してその皺が生じないように保持することが可能である。
その結果、背面パネル４ａは第１磁性体２２，第２磁性体２３の上下縁に沿った形状で折り畳まれることとなって、整然とパネルを折り畳むことが容易になった。
（その他の実施形態）
【００１５】    第２の実施形態において、長さ調整具１１０として、磁石２１と磁性体２２，２３とを接合部分に設ける構成としたが、長さ調整具１１０を、ボタンとボタン穴とを接合可能に設ける構成によって実現することができる。この場合、第２の実施形態と同様に、クラウンの深さを３段階で調整できる。
【００１６】    また、長さ調整具１１０を雌雄ホックによって構成することにより、クラウンの深さを３段階で調整することもできる。
【００１７】    前記いずれの実施形態も、左右中心線Ｘ上に長さ調整具１０，１１０を一組設置することを前提に説明したが、左右中心線Ｘを対象中心として、同一面に左右一対の調整具を設置することも可能である。このようにした場合は、より広範にクラウンの深さＨの変化を生じさせることができるので、フィット感などを得やすくなる。
特に磁石２１と磁性体２２，２３の組合せで、横長の磁性体２２，２３を用いる場合は、磁石２１を左右に配置することで調整動作を増やさなくとも調整が可能になる。
【００１８】    本実施形態では、内外二重構造を有するクラウンの例を示していないが、前記実施形態２のように、内側に長さ調整具１０，１１０を配置する場合は、内外二重構造の間に長さ調整具を位置させ、人体に長さ調整具１０，１１０が直接触れないようにすることも望ましい。
なお、調整段階は三段に限らず、より多数の段階に設定することも可能であり、また、各段での深さ変化ΔＨも様々に調整可能で、帽子の使用目的を考慮し、設定するのが望ましい。
クラウンへの長さ調整具１０，１１０の一体化は、接着、溶着或は縫着が可能であり、具体例で指定した手段は一例に過ぎず、他の手段による実施を否定するものではない。
【００１９】    本発明の実施形態は、従来より行われている同方向の長さを調整して、サイズを調整する各手段とともに実施することに、何らの問題はなく、この従来手段を併用することで、クラウンの周長と高さの双方の調整により、良好な装着感を得ることができる。
【符号の説明】
【００２０】１                            クラウン
１０，１１０                  長さ調整具
１１                          第１の面ファスナー
１１ａ                        接着面
１１ｂ                        第１の面ファスナーの上端部
１２                          第２の面ファスナー
１２ａ                        接着面
２                            トップ
２１                          磁石
２２                          第１磁性体
２３                          第２磁性体
３                            汗止め
４ａ                          背面パネル
４ｂ                          正面パネル
４ｃ                          左側面パネル
４ｄ                          右側面パネル
５                            ヒサシ
６                            長い髪を外に出す孔
７                            外周端
Ｘ                            左右中心線
Ｈ                            クラウンの深さ
ΔＨ，ΔＨ１，ΔＨ２          深さ変化
【図１】
2019148048.tif 000003
【図２】
2019148048.tif 000004
【図３】
2019148048.tif 000005
【図４】
2019148048.tif 000006
【図５】
2019148048.tif 000007